(57)【特許請求の範囲】
【請求項１】
床部と、
上方に凸形状であって、前記床部との間に内部空間を形成する天井部と、を備え、
前記内部空間に使用者の頭部を挿入可能である開口が設けられており、
前記天井部は、前記内部空間を構成する内側面のうち最も高い位置にある領域が、上方から見て、前記開口における左右方向の中央を通過し、該左右方向と直交する前後方向に長さを有する直線上に位置するように構成されており、
前記天井部は、長さ方向の両端部が床部に連結され、中央部が上方に凸である弧状であり、かつ板状の部材である支持部材を有しており、
前記支持部材の長さ方向の端部における、上下方向を法線方向とする平面による断面は弧状になっている
ことを特徴とする就寝補助具。
【請求項２】
床部と、
上方に凸形状であって、前記床部との間に内部空間を形成する天井部と、を備え、
前記内部空間に使用者の頭部を挿入可能である開口が設けられており、
前記天井部は、前記内部空間を構成する内側面のうち最も高い位置にある領域が、上方から見て、前記開口における左右方向の中央を通過し、該左右方向と直交する前後方向に長さを有する直線上に位置するように構成されており、
前記天井部は、長さ方向の両端部が床部に連結され、中央部が上方に凸である弧状であり、かつ板状の部材である支持部材であって、前記長さ方向と交差する幅方向の端面が隣接するように並べて配置される２つの前記支持部材を有しており、
一方の前記支持部材の端部における、上下方向を法線方向とする平面による断面における長さ方向の両端部を結ぶ直線と、他方の前記支持部材の前記断面における前記長さ方向の両端部を結ぶ直線と、が交差するように、前記２つの支持部材は前記床部に連結されている
ことを特徴とする就寝補助具。
【請求項３】
当該就寝補助具を前記前後方向が法線方向となる平面に投影したときに、投影面における前記開口の面積は該投影面における前記内部空間の面積よりも小さい
ことを特徴とする請求項１又は請求項２に記載の就寝補助具。
【請求項４】
前記支持部材が外部から荷重を受けていない状態を第１の状態とすると、前記支持部材は、前記床部に連結された状態において、前記第１の状態よりも前記長さ方向の両端部の間の距離が接近しており、前記第１の状態に戻ろうとする復元力を有する状態である第２の状態となっている
ことを特徴とする請求項１から請求項３のいずれか１項に記載の就寝補助具。
【請求項５】
前記天井部は、
吸音性を有する第１層と、
遮光性を有する第２層と、
前記第１層及び前記第２層を覆う被覆部材と、を有する
ことを特徴とする請求項１から請求項４のいずれか１項に記載の就寝補助具。
【請求項６】
請求項１から請求項５のいずれか１項に記載の就寝補助具と、
前記就寝補助具における前記床部に配置される枕と、を備える
ことを特徴とする枕ユニット。
【発明の詳細な説明】
【技術分野】
【０００１】
本発明は、床部及び天井部を有し、使用者の頭部を挿入可能である開口が設けられてなる就寝補助具に関する。
【背景技術】
【０００２】
従来、就寝時の安眠を促すために、頭部の周囲を覆う就寝補助具が提案されている（特許文献１参照）。このような就寝補助具は、周囲から使用者の頭部に到達する音や光を低減して睡眠状態の向上を図ることができる。
【先行技術文献】
【特許文献】
【０００３】
【特許文献１】実用新案登録第３１５６９２７号公報
【発明の概要】
【発明が解決しようとする課題】
【０００４】
使用者の頭部のすぐ上方に壁面があると使用者が圧迫感を覚えやすい。使用者が圧迫感を覚えると睡眠導入の妨げになることから、頭部の上方にはなるべく広い空間が確保されることが望まれる。特許文献１の就寝補助具は、図３のように頭部の上方を囲う構成においては比較的頭部の近くに布が垂れ下がるため、使用者が圧迫感を覚えやすいという問題がある。
【０００５】
本発明の目的は、就寝時の快適性の向上を図ることができる就寝補助具及び枕ユニットを提案することである。
【課題を解決するための手段】
【０００６】
上述した問題を解決するためになされた本開示の一態様は、床部と、上方に凸形状であって、前記床部との間に内部空間を形成しており、使用者の頭部を挿入可能である開口が設けられている天井部と、を備える就寝補助具である。この就寝補助具において、前記天井部は、前記内部空間を構成する内側面のうち最も高い位置にある領域が、上方から見て、前記開口における左右方向の中央を通過し、該左右方向と直交する前後方向に長さを有する直線上に位置するように構成されている。
【０００７】
このように構成された就寝補助具は、天井部が頭部の周囲を覆うため、頭部に到達する光や音を抑制できる。また、内部空間を構成する内側面のうち最も高い位置にある領域が、開口の左右方向の中央（幅方向の中央）を通過する前後方向の直線上にある。つまり、頭部を内部空間に挿入すると、内部空間における頭部の上方部分はその周囲よりも高さを有することになるため、使用者は圧迫感を覚えにくい。
【０００８】
よって、上記就寝補助具は就寝時の快適性を向上させることができる。そのため使用者はスムーズに入眠でき、また音や光による睡眠の妨害を低減して安眠することができる。
また上述した睡眠補助具は、当該就寝補助具を前記前後方向が法線方向となる平面に投影したときに、投影面における前記開口の面積は該投影面における前記内部空間の面積よりも小さくなるように構成されていてもよい。
【０００９】
このように構成された就寝補助具は、内部空間よりも開口が狭められているため、使用者が頭部を内部空間に挿入したときに開口から入る音や光を低減できる。また開口よりも内部空間が広いため、使用者は圧迫感を覚えにくい。したがって、このような就寝補助具では就寝時の快適性を向上させることができる。
【００１０】
また上記就寝補助具は、以下のように構成してもよい。前記天井部は、長さ方向の両端部が床部に連結され、中央部が上方に凸である弧状である支持部材を有している。前記支持部材が外部から荷重を受けていない状態を第１の状態とすると、前記支持部材は、前記床部に連結された状態において、前記第１の状態よりも前記長さ方向の両端部の間の距離が接近しており、前記第１の状態に戻ろうとする復元力を有する状態である第２の状態となっていることを特徴とする。
【００１１】
このように構成された就寝補助具において、支持部材はいわゆるアーチ型に折り曲げられて復元力を有する状態であるため、内側に折れ曲がりにくくなっている。よって、支持部材が天井部の形状変化を抑制することができるため、上記就寝補助具は金属ワイヤーなどの強度部品の使用を低減しつつ、形状を長期間保つことができる。
【００１２】
また上述した就寝補助具における前記支持部材は、板状の部材であって、長さ方向の端部における上下方向を法線方向とする平面による断面が弧状となるように構成されていてもよい。
【００１３】
このように構成された就寝補助具において、上述した平面による断面の形状は、板の幅方向が長く、板の厚さ方向が短い帯状の形となる。そしてその断面形状が弧状であるため、支持部材は板の長さ方向を軸として曲げられた形状となっている。そのため支持部材の強度が高くなり、支持部材の形状を更に崩れにくくすることができる。
【００１４】
また上述した就寝補助具は、前記支持部材が板状の部材であって、前記天井部が、前記長さ方向と交差する幅方向の端面が隣接するように並べて配置される２つの前記支持部材を有しており、更に、一方の前記支持部材の端部における、上下方向を法線方向とする平面による断面における長さ方向の両端部を結ぶ直線と、他方の前記支持部材の前記断面における前記長さ方向の両端部を結ぶ直線とが、交差するように、前記２つの支持部材が前記床部に連結されていてもよい。
【００１５】
このように構成された就寝補助具では、隣接する２つの支持部材それぞれにおける形状を崩しやすい方向が相違するため、一方の支持部材の形状変化を他方の支持部材によって抑制することができ、天井部の形状変化をより高度に抑制することができる。
【００１６】
また上述した就寝補助具は、前記天井部が、吸音性を有する第１層と、遮光性を有する第２層と、前記第１層及び前記第２層を覆う被覆部材と、を有するように構成されていてもよい。
【００１７】
このように構成された就寝補助具は、高い吸音性と高い遮光性を有するため、就寝時の快適性が向上する。
また、上述した問題を解決するためになされた本開示の他の態様は、上述した本開示の一態様の就寝補助具と、前記就寝補助具における前記床部に配置される枕と、を備えることを特徴とする枕ユニットである。
【００１８】
このように構成された枕ユニットであれば、上述した就寝補助具と同様の作用・効果を奏することができる。
【図面の簡単な説明】
【００１９】
【図１】実施形態の就寝補助具を示す図であって、（Ａ）が斜視図であり、（Ｂ）が底面図である。
【図２】実施形態の就寝補助具を示す図であって、（Ａ）が正面図であり、（Ｂ）が背面図であり、（Ｃ）が平面図であり、（Ｄ）が側面図である。
【図３】就寝補助具の前後方向が法線方向となる平面を投影面としたときの投影図である。
【図４】弾性基材の主たる面を示す図であり、（Ａ）が１支持部材３１ａであり、（Ｂ）が第２支持部材３１ｂであり、（Ｃ）が右背面基材３１ｄであり、（Ｄ）が左背面基材３１ｃである。
【図５】図２（Ｃ）のＡ−Ａ断面図である。
【図６】図２（Ａ）のＦ−Ｆ断面図である。
【図７】就寝補助具を折り畳んだ状態を説明する図である。
【発明を実施するための形態】
【００２０】
以下に本発明の実施形態を図面と共に説明する。
［実施形態］
（１）全体構成
本実施形態の就寝補助具１は、図１（Ａ），（Ｂ）、及び図２（Ａ）〜（Ｄ）に示すように、床部１１と天井部２１とを有しており、中空のドーム形状、所謂かまくら型の形状である。床部１１の上側には枕３を配置可能なスペースが形成されている。
【００２１】
床部１１は、開口２側の外縁が直線状であってそれ以外の外縁は曲線状であるシート状の部材である。床部１１は折り畳みが自在であるが伸縮性は低い材料で形成されている。
天井部２１は上方に凸形状であって、床部１１との間に内部空間を形成している。天井部２１はその下端が床部１１と連接されている。
【００２２】
就寝補助具１は、使用者の頭部を内部空間に挿入可能である開口２が設けられている。この開口２の縁部は、床部１１の端部である部分と、天井部２１の端部である部分とを含んでいる。即ち、床部１１と天井部２１との隙間を大きく開けた部分が開口２となっている。
【００２３】
天井部２１は、前方部２２、中央部２３、左背面部２４、及び右背面部２５を備えている。これら各部は、弾性変形可能な板状の弾性基材を被覆部材で覆うことにより構成されている。ここでいう板状とは、厚さ方向の寸法に比べて長さ方向及び幅方向の寸法が大きく、厚さ方向の寸法が全体的に大きく変化しないものを意味する。
【００２４】
図２（Ａ）、（Ｃ）に示されるように、天井部２１は、内部空間を構成する内側面のうち最も高い位置にある領域（領域２１ａ）が、上方から見て、開口２の左右方向の中央（横幅方向の中央）を通過し、該左右方向と直交する前後方向に長さを有する直線上（直線５上）に位置するように構成されている。
【００２５】
図３に、就寝補助具１を前後方向が法線方向となる平面を投影面としたときの投影図を示す。投影図における開口２ａは、投影図における内部空間７の内部に収まっている。そのため、開口２ａの面積は内部空間７の面積よりも小さい。また、床部１１と天井部２１との連結部分を含む主に就寝補助具１の下部において、開口２ａは左右方向に関して内部空間７よりも小さい。
【００２６】
各部の弾性基材（３１ａ〜３１ｄ）を図４に示す。弾性基材は、前方部２２を構成する第１支持部材３１ａと、中央部２３を構成する第２支持部材３１ｂと、左背面部２４を構成する左背面基材３１ｃと、右背面部２５を構成する右背面基材３１ｄと、に分割されている。なお、説明の便宜上、これらの部材を総称したものを弾性基材３１と記載する。
【００２７】
天井部２１の各部は弾性基材３１に被覆部材を被せたものであるから、天井部２１の各部の形状は弾性基材３１の形状とほぼ同一である。
図４に記載される弾性基材３１は、外部からの荷重が加えられていない状態を示している。この状態において弾性基材３１はいずれも平板状である。
【００２８】
第１支持部材３１ａは、一方に長さを有しており、その主たる面はわずかに弓なりに反った形状である。長さ方向（図中矢印Ｂ）の両端部分の縁部３７ａは、中央が張り出す曲線状になっている。長さ方向と交差する幅方向（図中矢印Ｃ）の長さは、長さ方向よりは短いものの、厚さ方向の寸法と比較すると十分に長くなっている。
【００２９】
第２支持部材３１ｂは、一方に長さを有しており、その主たる面はわずかに弓なりに反った形状である。長さ方向（図中矢印Ｄ）の両端部分の縁部３７ｂは、中央が張り出す曲線状になっている。また長さ方向の中央部分は、幅方向（図中矢印Ｅ）の寸法が両端部分よりも小さくなっている。
【００３０】
左背面基材３１ｃ及び右背面基材３１ｄは、略扇形であって、互いに対称である。またこれらは矩形の貫通孔３３ａ、３３ｂが形成されている。
図５に、図２（Ｃ）のＡ−Ａ断面図を示す。前方部２２、中央部２３、及び左背面部２４は、弾性基材３１（３１ａ〜３１ｃ）の周囲全体を被覆部材３２で覆うことにより構成されている。また弾性基材３１の内側面には、遮光性を有する遮光シート３５が配置されている。本図では図示しない右背面部２５、右背面基材３１ｄも同様である。
【００３１】
即ち、天井部２１は、弾性基材３１の層と、遮光シート３５の層と、弾性基材３１と遮光シート３５とを覆う被覆部材３２と、を有するものである。
弾性基材３１としては、発泡ポリウレタンが用いられている。これ以外にも発泡プラスチック（一例としてポリスチレン、ポリオレフィン）のようなスポンジ状の材料を用いることができるが、適度な弾性を有する材料であればこれらに限定されず、様々なものを用いることができる。上述した発泡プラスチックは優れた吸音性を有しているため、使用者の頭部に到達する音を高度に低減することができる。
【００３２】
また遮光シート３５としては、合成樹脂のシートにアルミニウムを蒸着したアルミシートが用いられている。なお遮光シートとしては、遮光性を有するものであれば様々な材料を用いることができるが、金属含有シートや遮光生地のように遮光性が極めて高いシートを用いることで使用者の頭部に到達する光を高度に低減することができる。
【００３３】
なお弾性基材３１が本発明における第１層の一例であり、遮光シート３５が本発明における第２層の一例である。
各部を覆う被覆部材３２は全て繋がっており、また被覆部材３２と床部１１とも繋がっている。よって、就寝補助具は、床部１１と天井部２１を構成する各部とが一体となっている。
【００３４】
前方部２２と中央部２３とが連結する厚さ方向に関する位置は、内側の位置、即ち内部空間側の位置である。同様に、中央部２３，左背面部２４，及び右背面部２５のそれぞれについても内側の位置にて連結されている。
【００３５】
図１（Ａ）などに示されるように、第１支持部材３１ａ（前方部２２）及び第２支持部材３１ｂ（中央部２３）は、長さ方向の両端部が床部１１に連結された状態において、中央部が上方に凸である弧状、つまり、いわゆるアーチ型になっている。
【００３６】
つまり第１支持部材３１ａ及び第２支持部材３１ｂは、図４に示すような外部から荷重を受けていない状態とは異なり、荷重を加えることによって長さ方向の両端部の間の距離を接近させて、荷重を受けていない状態に戻ろうとする復元力を有する状態で床部１１に連結されている。床部１１は、この復元力によって平面状に広げられている。
【００３７】
なお、復元力を有する状態とは、各支持部材が曲げ変形されており、床部１１による連結を解除した場合には弾性により曲り度合が小さくなる状態を意味する。各支持部材は、弾性変形の範囲内で曲げ変形されていることが好ましい。
【００３８】
なお、図４に示すように外部から荷重を受けていない状態が本発明における第１の状態の一例であり、図１（Ａ）及び図２に示すように連結された状態が本発明における第２の状態の一例である。
【００３９】
また第１支持部材３１ａ及び第２支持部材３１ｂは、それぞれの幅方向の端面が隣接するように並べて配置されている。具体的には、図４（Ａ）に示す端部３８ａと、図４（Ｂ）に示す端部３８ｂと、が隣接するように配置される。
【００４０】
図６に、図２（Ａ）のＦ−Ｆ断面図を示す。この断面図は、上下方向を法線方向とする平面、換言すると床部１１の拡がる方向と平行である平面による断面図である。この平面は床部１１に沿った位置の平面であるため、第１支持部材３１ａの断面４１ａ及び第２支持部材３１ｂの断面４１ｂは、それらの長さ方向の端部における断面となる。
【００４１】
断面４１ａ及び断面４１ｂは、各支持部材の幅方向に長く、厚さ方向に短い帯状であって、床部１１の外縁に沿った弧状になっている。つまり、前方部２２及び中央部２３は端部を弧状に曲げた状態で床部１１に連結されている。
【００４２】
また、断面４１ａにおける長さ方向の両端部を結ぶ直線Ｇと、断面４１ｂにおける長さ方向の両端部を結ぶ直線Ｈとは交差している。その結果、図２（Ｃ）に示すように、就寝補助具１は上述した交差部分を突端として外側にふくらんだ形状になっている。
【００４３】
図７は、就寝補助具１を折り畳んだ状態を示す図である。まず前方部２２を中央部２３の内側に折り込み、次に中央部２３の長さ方向の中央と、左背面部２４及び右背面部２５の連結部分とを折り曲げると、図７のように小さくまとめることができる。
【００４４】
（２）効果
本実施形態の就寝補助具１は、床部１１と天井部２１とにより形成される内部空間に、開口２から頭部を挿入して用いることで、天井部２１が頭部の周囲を覆うため、外部から頭部に到達する光や音を低減して、睡眠しやすい環境を形成することができる。
【００４５】
また、内部空間を構成する内側面のうち最も高い位置にある領域２１ａが、上方から見て、開口２の左右方向の中央を通過し、前後方向に長さを有する直線上に位置するように構成されているため、頭部と天井部２１との間に大きな間隔を形成することができ、使用者が圧迫感を覚えることを抑制できる。
【００４６】
よって、就寝補助具１は使用者の就寝時の快適性を向上させることができ、使用者のスムーズな入眠や使用者の安眠を促進することができる。特に、本実施形態ではかまくら型の形状を有しているため、それにより「包まれ感」が生まれることで、より快適性を向上させることができる。
【００４７】
また睡眠補助具１は、前後方向が法線方向となる平面に投影したときに、投影面における開口２ａの面積は内部空間７の面積よりも小さくなるように構成されている。つまり、内部空間の最も広い部分よりも開口２は狭くなっている。
【００４８】
そのため、使用者が頭部を内部空間に挿入したときに開口２から入る音や光を低減できる。また開口よりも内部空間が広いため、使用者は圧迫感を覚えにくい。したがって、このような就寝補助具１では就寝時の快適性を向上させることができる。
【００４９】
なお、上記実施形態では、開口２の特に左右方向の幅が狭くなっている。開口２を狭くするに当たり、仮に単に上下方向の高さを小さくすると使用者が閉塞感を強く感じてしまう可能性があるが、このような就寝補助具１では、開口２の高さを小さくする場合と比較して、閉塞感が強くなりにくく都合がよい。
【００５０】
また本実施形態の就寝補助具１では、第１支持部材３１ａ及び第２支持部材３１ｂが曲げられてアーチ状となっている。このように構成されていることにより、就寝補助具１は天井部２１の形状変化を抑制し、形状を長期間保つことができる。
【００５１】
この理由は、例えば以下のように推測できる。各支持部材は平板状に戻ろうとする復元力が働いている。床部１１は、支持部材と連結し、この復元力の反力を支持部材に加えて支持部材の中央部を上方に押し出している。このように反力によって中央部を押し上げることで重力による中央部の垂れ下がりを抑制している。
【００５２】
また上記就寝補助具１は、第１支持部材３１ａ及び第２支持部材３１ｂにおける床部１１と連結する下端部分が、長さ方向を軸とする弧状に湾曲している。このように湾曲することで、各支持部材の強度が高くなり、天井部２１の形状を更に崩れにくくすることができる。
【００５３】
また上記就寝補助具１は、隣接して配置される第１支持部材３１ａ及び第２支持部材３１ｂの下端部分における断面の長さ方向が相違するので、それらが形状を崩しやすい方向が相違する。そのため、一方の支持部材の形状変化を他方の支持部材によって抑制することができ、天井部２１の形状変化をより高度に抑制することができる。
【００５４】
また上記就寝補助具１において、第２支持部材３１ｂは長さ方向の中央部分の幅が小さくなっているため、中央部の軽量化を実現できる結果、天井部２１の垂れ下がりを抑制することができる。
【００５５】
また上記就寝補助具１では、貫通孔３３ａ，３３ｂによって空気が流れやすくなるため、内部温度の過剰な上昇や息苦しさを抑制できる。この貫通孔３３ａ，３３ｂは開口２の反対側に形成されているため、使用時には頭頂部方向に位置することとなる。そのため、貫通孔３３ａ，３３ｂから入った光は目に到達しにくくなっている。
【００５６】
また、上記就寝補助具１と枕３とからなる枕ユニットは、上述した就寝補助具１と同様の作用及び効果を奏することができる。その場合、枕３は床部１１などと一体に形成されていてもよいし、着脱可能に構成されていてもよい。
【００５７】
［その他の実施形態］
以上本発明の実施形態について説明したが、本発明は、上記実施形態に何ら限定されることはなく、本発明の技術的範囲に属する限り種々の形態をとり得ることはいうまでもない。
【００５８】
（ａ）上記実施形態においては、第１支持部材３１ａ及び第２支持部材３１ｂは荷重を加えられていない状態においては平板状である構成を例示したが、その形状は平板状でなくともよい。例えば、荷重が加えられない状態においてアーチ状にカーブした形状であっても、床部１１と連結させたときに更に曲り度合が大きくなり復元力を有した状態となるのであれば、本発明の効果を奏することができる。
【００５９】
（ｂ）上記実施形態においては、弾性基材３１によりドーム形状を維持する構成を例示したが、就寝補助具１は形状を維持するための柱などの部材を有していてもよい。しかしながら本発明のような支持部材を用いることで、形状を維持するために必要な部材の使用量を低減することができる。
【００６０】
（ｃ）上記実施形態においては、第１支持部材３１ａ及び第２支持部材３１ｂの端部は弧状となるように床部１１に連結されており、更に断面４１ａ、４１ｂの長さ方向が異なる構成を例示した。しかしながら、これらの特徴はいずれかのみを有していてもよく、いずれも有していなくともよい。
【００６１】
（ｄ）上記実施形態においては、就寝補助具１は各部が一体となっている構成を例示したが、分割可能に構成されていてもよい。例えば床部１１と天井部２１の各部が面ファスナや線ファスナにて連結される構成であってもよい。
【００６２】
（ｅ）上記実施形態においては、就寝補助具１は開口以外が曲面状である所謂かまくら型の形状を有するものである構成を例示したが、それ以外の形状であってもよい。例えば矩形の箱型であってもよく、その場合には開口の左右中央を通過する前後方向の直線上に内部空間の最も高い領域が存在するように構成するとよい。なお、上記実施形態のように開口部分を除き略半球形（上面視で略円形であるドーム型形状）となるように就寝補助具が構成されていると、天井部２１に加わる荷重を分散することができ、形状の変形を抑制できる。
【符号の説明】
【００６３】
１…就寝補助具、２…開口、３…枕、１１…床部、２１…天井部、２２…前方部、２３…中央部、２４…左背面部、２５…右背面部、３１…弾性基材、３１ａ…第１支持部材、３１ｂ…第２支持部材、３１ｃ…左背面基材、３１ｄ…右背面基材、３２…被覆部材、３３ａ，３３ｂ…貫通孔、３５…遮光シート、３７ａ，３７ｂ…縁部、３８ａ，３８ｂ…端部、４１ａ，４１ｂ…断面
【図１】
0006352775.tif 000002
【図２】
0006352775.tif 000003
【図３】
0006352775.tif 000004
【図４】
0006352775.tif 000005
【図５】
0006352775.tif 000006
【図６】
0006352775.tif 000007
【図７】
0006352775.tif 000008